(57)【要約】      （修正有）【課題】部品点数が少なく、解錠状態で固定されるという不具合を起こすことがなく、なおかつ扉と本体との間のガタつきの発生を極力抑えた耐震用留め金具を提供する。【解決手段】開き扉用耐震金具１は、収納箱などの収納室開口側内面壁５０に取り付けられた留め金具本体２０と、扉５１に取り付けられた固定金具３０と、扉を開閉するためのストッパーピン４０とからなる。留め金具本体２０は、偏心して左右に回転可能に設置された回転カム２１と、回転カムを所定位置に戻るように設けられた弾性部材２２を有する。固定金具３０はカム可動ピン３１を有し、回転カムに設けられた波形状の円弧面により、カム可動ピンが付勢される。【選択図】図１
0003198384.tif 000002
【実用新案登録請求の範囲】
【請求項１】
留め金具本体と、固定金具と、ストッパーピンとからなる開き扉用耐震金具において、
留め金具本体が、左右に回転可能に設置された回転カムと、前記回転カムを所定位置に戻るように設けられた弾性部材とを有することを特徴とする開き扉用耐震金具
【請求項２】
前記固定金具はカム可動ピンを有し、回転カムに設けられた円弧面により、カム可動ピンが付勢されることを特徴とする請求項１に記載の開き扉用耐震金具
【請求項３】
前記回転カムは、前記円弧面の中心点から偏心させて左右回転可能に固定されていることを特徴とする請求項１又は２に記載の開き扉用耐震金具
【請求項４】
前記円弧面が波形状を有することを特徴とする請求項１乃至３に記載の開き扉用耐震金具
【請求項５】
前記波形状の円弧面は、３以上１０以下の波を有する請求項１乃至４に記載の開き扉用耐震金具
【請求項６】
前記波形状円弧面の１つの波は、前記カム可動ピンよりも小さい請求項１乃至５に記載の開き扉用耐震金具
【考案の詳細な説明】
【技術分野】
【０００１】  本考案は、食器棚、衣裳箪笥、書籍棚、或いは、自動車、自動２輪車、飛行機、列車などに用いられる収納箱などの開き扉用耐震留め金具に関する。
【背景技術】
【０００２】  地震などの振動により、誤って扉が解錠されることのない耐震機能に優れたラッチ錠が提供されている（特許文献１、特許文献２、特許文献３）。
しかし、従来の扉用耐震留め金具は、部品点数が多く、また通常に使用する際、扉にガタつきが発生していた。【０００３】  特に、特許文献１では、ノブを引っ張り過ぎると、レバーが解錠状態で固定されてしまい施錠できなくなるという施錠の不具合など問題が生じていた。そのため、レバーが解錠状態で固定されないように、引き過ぎ防止機構などを設けることができるが、新たな部品が必要となる場合がある。【０００４】  また、特許文献１のキャッチとボルトが安定して係合し、施錠させるためには、このキャッチとボルトの間に、引っかかることを防止するために、クリアランスを設ける必要がある。また、使用を重ねるごとにキャッチとボルトの間で摩耗する。このクリアランスや摩耗により、扉のガタつきの原因となっている。
【先行技術文献】
【特許文献】
【０００５】
【特許文献１】特開平０８−３１２２２５
【特許文献２】特開平０９−２０３２５８
【特許文献３】特開２００６−００２３７５
【考案の概要】
【考案が解決しようとする課題】
【０００６】  本考案は、上記事情を鑑みて作成されたものであり、部品点数が少なく、また、解錠状態で固定されるという不具合を起こすことがなく、なおかつ扉と本体との間のガタつきの発生を極力抑えた耐震用留め金具を提供することである。
【課題を解決するための手段】
【０００７】  本考案の開き扉用耐震金具は、留め金具本体と、固定金具と、ストッパーピンとからなる開き扉用耐震金具において、
留め金具本体が、左右に回転可能に設置された回転カムと、前記回転カムを所定位置に戻るように設けられた弾性部材とを有する。
【考案の効果】
【０００８】  本考案によれば、食器棚、衣裳箪笥、書籍棚、或いは、自動車、自動２輪車、飛行機、列車などに用いられる収納箱などの開き扉のガタつきを防止することができ、部品点数を減らし、なおかつ、施錠の不具合を防止することが可能となる。
【図面の簡単な説明】
【０００９】
【図１】本考案の開き扉用耐震金具の横断平面図である。
【図２】本考案の開き扉用耐震金具を部分的に拡大した、詳細横断平面図である。
【図３】本考案の開き扉用耐震金具で施錠された状態の横断平面図である。
【図４】本考案の開き扉用耐震金具で解錠された状態の横断平面図である。
【図５】回転カムと弾性部材とを示す部分平面図である。
【図６】回転カムと弾性部材とを示す部分平面図である。
【図７】回転カムを示す部分平面図である。
【考案を実施するための形態】
【実施例】
【００１０】  以下、本考案を図面に基づいて説明する。なお、本考案は、以下の実施例そのままに限定されるものではなく、その要旨を逸脱しない範囲で構成要素を変形して具体化できる。また、実施例に開示されている複数の構成要素の適宜な組み合わせにより種々の考案を形成することができる。実施例に示される全構成要素から幾つかの構成要素を削除してもよい。更には、異なる実施の形態となるよう構成要素を適宜組み合わせてもよい。【００１１】  本考案の開き扉用耐震金具１は、図１に示す通り、収納箱などの収納室開口側内面壁５０に取り付けられた留め金具本体２０と、扉５１に取り付けられた固定金具３０と、扉５１を開閉するためのストッパーピン４０とからなる。ストッパーピン４０は、つまみ４１を有し、ネジなどで接合されている。【００１２】  留め金具本体２０は、回転可能に設置された回転カム２１と、前記回転カムを所定位置に戻るように設けられた弾性部材２２とからなる。
留め金具本体２０は、収納室開口側内面壁５０の所定の位置に、ビス２３で固定される。【００１３】  図２に示す通り、扉５１を開閉するためのストッパーピン４０は、スプリングストッパー部４２を有し、テーパー押しバネ４３で付勢されている。これにより、ストッパーピン４０は、扉を通じて、回転カム２１に挿嵌される。【００１４】  回転カム２１は、ストッパーピン４０が挿嵌される係合部２４、固定金具３０に設けられたカム可動ピン３１に当接する円弧面２５を有する。【００１５】  図３に示す通り、回転カム２１の係合部２４にストッパーピン４０が挿嵌されることにより、回転カム２１の回転が係止する。また、円弧面２５と当接しているカム可動ピン３１を通じて、扉５１が閉じた状態で施錠されるので、扉５１が閉まる方向に強い荷重が加わる。そのため、扉５１のガタつきを防止することが可能となる。【００１６】  固定金具３０のカム可動ピン３１は、扉が閉められることにより、回転カム２１の円弧面端部の切欠部２６に当接し、回転カム２１を左回転（反時計回り）させるように構成されている。
回転カム２１を一定以上左回転させることにより、切欠部２６からカム可動ピンが外れる。回転カム２１を所定位置に戻るように設置された弾性部材２２により、回転カム２１が右回転（時計回り）し、回転カム２１の円弧面２５と当接する。【００１７】  扉５１を完全に閉めた際に、回転カム２１の係合部２４がストッパーピン４０に設けられたテーパー押しバネ４２の付勢力により、挿嵌されるように構成されており、弾性部材２２は、挿嵌されたストッパーピン４０を、回転カム２１を通じて、右回転方向に付勢する。【００１８】  また、回転カム２１の円弧面２５と、固定金具３０のカム可動ピン３１とが当接しており、弾性部材２２により、回転カム２１を通じて、回転方向に付勢されている。これにより、扉５１を閉じた状態であっても、ガタつくことがなく、地震等の振動がある際、誤って解錠されることを防止することが可能となる。【００１９】  図４に示す通り、回転カム２１の係合部２４からストッパーピン３０が抜かれることにより、回転カム２１は、回転可能になる。それにより、扉５１のロックが解錠され、扉５１を開くことが可能となる。【００２０】  弾性部材２２としては、引きバネ、ゴム材、などが挙げられる。
この中でも、弾性部材２２は、経年劣化の少ない、引きバネが好ましい。【００２１】  図５に示す通り、回転カム２１は、回転カム２１の円弧面２５の中心点２７で回転可能に固定するのが好ましい。これにより、固定金具３０のカム可動ピン３１を安定して、付勢することが可能となる。【００２２】  図６に示す通り、さらに、回転カム２１の円弧面２５の中心点２７から、円弧面２５側に偏心させた偏心点２８で、回転可能に固定してもよい。これにより、付勢力を安定的に、より強くすることが可能となる。【００２３】  図７に示す通り、回転カム２１の円弧面２５は、さらに波型形状を有してもよい。
これにより、固定金具３０のカム可動ピン３１が円弧面２５で滑ることなく、安定して付勢されるからである。
円弧面２５の波の数としては、３個〜１０個が好ましい。
また、円弧面２５の波の大きさとしては、固定金具３０のカム可動ピン３１の大きさの等倍から５倍が好ましい。【００２４】  上述のような耐震用留め金具を用いることにより、部品点数が少なく、また、解錠状態で固定されるという不具合を起こすことがなく、なおかつ扉と本体との間のガタつきの発生を極力抑えることが可能となる。
【図１】
0003198384.tif 000003
【図２】
0003198384.tif 000004
【図３】
0003198384.tif 000005
【図４】
0003198384.tif 000006
【図５】
0003198384.tif 000007
【図６】
0003198384.tif 000008
【図７】
0003198384.tif 000009